(57)【要約】  本発明は、特に無菌板紙液体容器（１５）で使用すると共に使用を容易にするために開発されたカバー体（１０１）に関するもので、内部に位置する要素のおかげで液体流出口に均一な構造を作ると共に、板紙内に残るアルミニウムフォイル部分が容器とカバー体との間で圧縮されることを可能にすることにより、流出口を最大限に開く。【選択図】図１
2015533737.tif 000002
【特許請求の範囲】
【請求項１】
フォイルを切断して無菌液体板紙容器の内部に折り畳む装置を備えたねじ付きカバー体であって、下側カバーと、下側カバーの内部に位置する円筒隆起部及び平板と、下側カバー内の円筒壁に接続された軸ヒンジ及び引張りばねと、上側カバー及び上側カバーの内部に位置する螺旋状摩擦スロープとを含むことを特徴とするカバー体（１０１）。
【請求項２】
前記螺旋状摩擦スロープがカバー開き方向に回転された後に加える圧力を下側カバーの内部の円筒隆起部が受けることを特徴とする請求項１に記載のカバー体（１０１）。
【請求項３】
左側及び右側の平板を含み、その上に下側カバーの内部に設けられた円筒隆起部が位置していることを特徴とする請求項１に記載のカバー体。
【請求項４】
下側カバー内の円筒状内側壁への前記平板の接続は軸ヒンジによって行われていることを特徴とする請求項１及び３に記載のカバー体。
【請求項５】
軸ヒンジによる円筒状内側壁への前記平板の非対称平行角度での接続を提供する引張りばねを含むことを特徴とする請求項１及び４に記載のカバー体。
【発明の詳細な説明】
【技術分野】
【０００１】
本発明は、無菌液体板紙容器において使用されるカバー体であって、容器の頂部に流出穴を形成することによって紙板容器内の液体が流出できるようにすると共に、再度ねじ止めできるカバー体に関する。
【背景技術】
【０００２】
現在使用されている無菌液体板紙容器のカバーにおいては、種々の形の構成が適用されている。それらの内の幾つかのものは、ヒンジの助けで開くことができ、上側のカバーを開けた後、容器に予め取り付けられたアルミニウムフォイルを手によって破り取り、これによって、それらが機能するようにされる。一方、幾つかの実施形態においては、穴を作ることによって液体がカバー内に流れ込めるようにしているが、この穴の形成は、カバー内に位置しているフォイルに穴を開けるための切歯を有するプラスチック片を下方の押圧することによって容器のフォイル部分に穴を開けて行われる。
【０００３】
一方、幾つかのカバー体においては、２個又は３個のプラスチック片から成るねじ付きシステムによって作動するようにカバーが設けられている。板紙上に予め設けられたカバーの下側に位置する容器の一部にフォイルとポリエチレン層が一体構造で残り、その結果、板紙の層状構造（層）が作られる際に、一体の板紙を通してフォイルとポリエチレン層が延在することができ、このシステムは、他の実施形態に比べてより安全な実施形態であり、無菌性を提供できる。更に、これらの形式のねじ止め可能なカバーは、再度ねじ込むことによって取り付けることができるため、製品を持ち運ぶことが容易になり、不透過性を提供できる。
【０００４】
３個の部品から成るねじ付きのカバーの作動システムは、底側及び上側の部品が入れ子の形態でねじ込まれ、第３の部品が中央に位置しており、底側部分に切歯を有する円筒状のカバーが開き方向に回転されると、カバーが下方に進み、板紙上のフォイルを回転によって切断することによって、それが容器のカバー内の部分に穴を開ける。特許文献１〜３は、その様な形式のカバー体の例と考えることができる。一方、これらの二体式カバーにおいては、中央に位置する円筒部品が回転され、カバーの下部に位置する平坦な切歯を有する、外側カバーに接続された板（１個以上）が下方に押圧され、容器のフォイル部分が破られて、板の数と同じ数の部分に分けられ、これによって容器が開封される。
【先行技術文献】
【特許文献】
【０００５】
【特許文献１】国際出願第ＰＣＴ／ＪＰ２００４／０１４３３３号明細書
【特許文献２】欧州特許出願公開第１８２０７４２号明細書
【特許文献３】国際出願第ＰＣＴ／ＥＰ０３／５０６１４号明細書
【発明の概要】
【発明が解決しようとする課題】
【０００６】
一方、２個の部品から成るそのような種類のねじ付きカバーにおいては、カバー体が開き方向に回転された時に、カバー体が切歯を有する平坦な板を下方に押圧し、容器上のアルミニウム層に穴を開ける。このような動作は、下側の容器に取付けられた部分内において側部に接続された、切歯を有する板の上側部分に設けられたフォイル（foil）突起によって引き起こされるものであり、突起は、上側のねじ付きカバー内においてデザインされたフォイル突起と適合したものとなる。しかしながら、穴開け工程が完全なものでないため、完全に均一な流出穴を開けることができない。
【０００７】
この場合、生産フロー（production flow）が制限され、使用が困難になる。
【０００８】
一方、上記のカバー体は、流出口上で利用できるフォイルが切断されたとき、破られたフォイルの一部が箱内の圧力のためにフローネット（flow net）を塞ぎ、場合によっては、フォイルの断片が液体製品内に落下し、好ましくない結果が生じる。
【０００９】
その様な形式のねじ込み可能なカバーの内部において円筒状の切歯を有する部品を回転させる工程で、カバーの高さをより高くする必要があるため、それらを貯蔵したり、輸送したり、棚に配列することが非常に困難になる。さらに、カバーの寸法が大きく、部品の数も多いため、使用する原料の量が増加し、経済的に非効率になり、資源の効率的利用の面で経済的でない。
【００１０】
本発明の目的は、流出口からフォイルを完全に除去すると共に、内側壁の少なくとも９０％を均一な構造で開口させることにより、製品の流出時において他の実施形態に比べて流れを容易にすることである。
【課題を解決するための手段】
【００１１】
上記の目的を達成するために、本発明は、フォイルを切断して無菌液体板紙容器の内部に折り畳む装置を備えたねじ付きカバー体に関し、下側カバー及び下側カバーの内部に位置する円筒隆起部及び平板と、下側カバー内の円筒壁に接続された軸ヒンジ及び引張りばねと、上側カバー及び上側カバーの内部に位置する螺旋状摩擦スロープとを含む。
【００１２】
前記目的を達成するために、螺旋状摩擦スロープがカバー開き方向に回転された後に螺旋状摩擦スロープが下向きに加える圧力に、下側カバーの内部の円筒隆起部が晒される。更に、下側カバー内部の円筒隆起部がそれらの上に位置する左側及び右側の平板は、軸ヒンジによって下側カバー内の円筒状内側壁に接続される。軸ヒンジを介しての円筒状内側壁への前記平板の非対称平行角度での接続が引張りばねによって提供される。
【図面の簡単な説明】
【００１３】
【図１】本発明によるカバー体（１０１）の好適な実施形態を側方から見た図。
【図２】本発明によるカバー体（１０１）の好適な実施形態の下側カバー（０１）を上側から見た斜視図。
【図３】本発明によるカバー体（１０１）の好適な実施形態の下側カバー（０１）を下側から見た斜視図。
【図４】本発明によるカバー体（１０１）の好適な実施形態の下側カバー（０１）と上側カバー（０２）を下側から見た斜視図。
【図５】本発明によるカバー体（１０１）の好適な実施形態の上側カバー（０２）の内部形状図。
【図６】本発明によるカバー体（１０１）の好適な実施形態の板紙箱（１５）上に設置された下側カバー（０１）の斜視図。
【図７】本発明によるカバー体（１０１）の好適な実施形態の板紙箱（１５）上に設置された下側カバー（０１）の内部機構（０３、０４、０５、１３）の半開き状態の斜視図。
【図８】本発明によるカバー体（１０１）の好適な実施形態の下側カバー（０１）を上側から見た斜視図。
【図９】本発明によるカバー体（１０１）の好適な実施形態の上側カバー（０２）と下側カバー（０１）の斜視断面図。
【図１０】本発明によるカバー体（１０１）の好適な実施形態の上側カバー（０２）と下側カバー（０１）の内部機構がどの様にして動作するのかを示す斜視断面図。
【図１１】本発明によるカバー体（１０１）の好適な実施形態の上側カバー（０２）と下側カバー（０１）の内部機構がどの様にして動作するのかを示す斜視断面図。
【図１２】本発明によるカバー体（１０１）の好適な実施形態の上側カバー（０２）と下側カバー（０１）の内部機構がどの様にして動作するのかを示す、図１１に続く斜視断面図。
【図１３】本発明によるカバー体（１０１）の好適な実施形態の上側カバー（０２）と下側カバー（０１）の内部機構がどの様にして動作するのかを示す、図１２に続く斜視断面図。
【発明を実施するための形態】
【００１４】
本発明は、フォイルを切断して無菌液体板紙容器の内部に折り畳む装置を備えたねじ付きカバー体（１０１）に関するもので、カバー体（１０１）は、下側カバー（０１）と、下側カバー（０１）の内部に位置する円筒隆起部（０３）及び平板（１３）と、下側カバー（０１）内の円筒壁（１４）に接続された軸ヒンジ（０５）及び引張りばね（０４）と、上側カバー（０２）及び上側カバー（０２）の内に位置する螺旋状摩擦スロープ（０８）とを含む。
【００１５】
前記螺旋状摩擦スロープ（０８）がカバー開き方向に回転されると、それは下方に圧力を加える。下側カバー（０１）の内部に位置する円筒隆起部（０３）がこの圧力に晒される。
【００１６】
下側カバー（０１）の内部に設けられた円筒隆起部（０３）がその上に位置する左側及び右側の平板（１３）と下側カバー（０１）内の円筒壁（１４）との間の接続は軸ヒンジ（０５）によって提供される。更に、軸ヒンジ（０５）による前記平板（１３）の内側壁（１４）への非対称平行角度での接続は引張りばね（０４）によって行われる。
【００１７】
本発明によるカバー体（１０１）は、紙板容器（１５）の表面に取り付けられる下側カバー（０１）を形成する面；上側カバー（０２）をねじ取り付けする円筒体（１０）；この円筒体（１０）の中央に位置する円筒隆起部（０３）及びこの円筒隆起部（０３）の両側の突起に隣接する平板（１３）；平板（１３）の下部の全周に配置された切歯（１２）；これらのチャンネル（channel）、板及び切歯を円筒状内部壁（１４）に２点で接続する軸ヒンジ（０５）及び両側から内側壁（１４）に接続された軸ヒンジ（０５）によって異なる点から異なる角度で非対称に位置する９０度傾いた形態で押し力及び引張り力を提供し、これにより軸ヒンジ（０５）が接続された物体を９０度回転させ得る引張りばね（０４）；平板（１３）の中央の円筒隆起部（０３）の前方及び後方の部分に位置するドレナージ（drainage）突起（０６−０７）；ねじ込み可能な上側カバー（０２）及びこの上側カバー体（０２）の内部の螺旋状摩擦スロープ（０８）；この螺旋状摩擦スロープ（０８）を回転させる下側カバー（０１）と上側ねじ込み可能カバー上の互いに平行なねじ山（０９−１１）を含む。計算の結果、本実施形態は、開口形成後に製品を流出させる際に、他の実施形態に比べて流れが容易になり、流出口からフォイルを除去することによって下側カバーの内側壁の少なくとも９０％の均一な開口を提供できることが分かった。
【００１８】
上側カバー（０２）と下側カバー（０１）が閉じる位置にある場合、上側カバー（０２）を開き方向に回転させると、上側カバー（０２）内部の螺旋状摩擦スロープ（０８）が下側カバー（０１）の内側壁（１４）の中央に位置する円筒隆起部（０３）の上部に摺接し、螺旋状摩擦スロープ（０８）の螺旋高さのために、上側カバー（０２）の内部の螺旋状摩擦スロープ（０８）が下側の平板（１３）に下向きの力を加える。この圧力により、平板（１３）の全周に配置された切歯（１２）がフォイルに穴を形成する。フォイルには、下側カバー（０１）の内側壁（１４）の形で穴が形成され、３０度の角度でそれが下方に湾曲するまで圧力が加えられる。圧力を加える左右方向への螺旋状摩擦スロープ（０８）の動きは円筒隆起部（０３）の上部で前方に位置するドレナージ突起（０６）によって阻止され、同じ線上を進む。開き方向の１８０度の回転の後、上側カバー（０２）内部の螺旋状摩擦スロープ（０８）は、下側カバー（０１）の中央の円筒隆起部（０３）の上部で後方に位置する第２のドレナージ突起（０７）上で静止し、平板（１３）を押して、フォイルを下方に開け、フォイルが９０度位置に達するまで引っ張られることを可能にする。内側壁（１４）上に位置する軸ヒンジ（０５）により、平板（１３）と下側カバー（０１）が同じ軸で回転する。下側カバー（０１）の内側壁（１４）内において下側カバー（０１）の中央に位置する平板（１３）に接続された引張りばね（０４）により、後方に９０度回転する平板（１３）は流出口から完全に取り除かれることによって、均一な流出口が得られる。
【００１９】
紙板容器（１５）上での上側カバー（０２）の３６０度回転が終わると、下側カバー（０１）上の内部機構が紙板容器（１５）内に１８０度の角度で折り畳まれ、したがって、機構と紙板容器（１５）との間でフォイルを圧縮することで、流出口の９０％を開くことができる。これにより、流れが容易になるだけでなく、フォイルの流出口が閉じられてしまうことを阻止できる。
【００２０】
カバー内の形態は、下側部分が中空の円筒隆起部（０３）を１８０度回転させることができる形態である。
【００２１】
図面（図１〜図１３）により、機構の動作は特別に設計されており、本実施形態の要素が全体を構成することが示されている。カバー体（１０１）が２個の部品から成り、内部機構がその構成によって１８０度回転する。従って、資源がより効率的に使用され、製品がより機能的な方法で使用される。
【産業上の利用可能性】
【００２２】
無菌紙板容器に使用するためにプラスチック射出成形法によって製造できるカバー体であって、他の紙板容器カバーと同様に設置機の助けで紙板容器上に取付けられ、その設計の機能的特徴のおかげで部品数が非常に少ないために原材料の使用を最小限にできる。
【符号の説明】
【００２３】
１０１  カバー体
０１  下側カバー
０２  上側カバー
０３  円筒隆起部
０４  引張りばね
０５  軸ヒンジ
０６  ドレナージ突起１
０７  ドレナージ突起２
０８  螺旋状摩擦スロープ
０９  ねじ山（上側）
１０  円筒体
１１  ねじ山（下側）
１２  切歯
１３  平板
１４  円筒壁
１５  無菌板紙箱
【図１】
2015533737.tif 000003
【図２】
2015533737.tif 000004
【図３】
2015533737.tif 000005
【図４】
2015533737.tif 000006
【図５】
2015533737.tif 000007
【図６】
2015533737.tif 000008
【図７】
2015533737.tif 000009
【図８】
2015533737.tif 000010
【図９】
2015533737.tif 000011
【図１０】
2015533737.tif 000012
【図１１】
2015533737.tif 000013
【図１２】
2015533737.tif 000014
【図１３】
2015533737.tif 000015
【手続補正書】
【提出日】平成27年5月21日(2015.5.21)
【手続補正１】
【補正対象書類名】特許請求の範囲
【補正対象項目名】全文
【補正方法】変更
【補正の内容】
【特許請求の範囲】
【請求項１】
フォイルを切断して無菌液体板紙容器の内部に折り畳む装置を備えたねじ付きカバー体であって、
下側カバーと、
上側カバーと、
上側カバーの内部に位置する螺旋状摩擦スロープと、
下側カバーの内部の円筒隆起部であって、前記螺旋状摩擦スロープがカバー開き方向に回転された後に加える圧力に晒される円筒隆起部と、
下側カバーの内部に設けられた円筒隆起部がそれらの上に位置する左側及び右側の平板と、
下側カバー内の円筒状内側壁への前記平板の接続を行う軸ヒンジとを備え、
下側カバー内の円筒状内側壁に接続され、軸ヒンジによる円筒状内側壁への前記平板の非対称平行角度での接続を提供する引張りばねを備えることを特徴とするカバー体。
【国際調査報告】
2015533737.tif 000016
2015533737.tif 000017